(57)【特許請求の範囲】
【請求項１】
映像再生スタート信号入力により、映像を選択再生可能に記憶したディスクを再生可能な複数の再生手段を備えた映像再生装置において、前記複数の再生手段がディスク内容の読み取り不具合いを発生した際に映像再生スタート信号入力から映像再生までの期間で読み取り再試行を行う回数を、それぞれ再試行回数として記憶手段に記憶し、記憶された前回の再試行回数に所定値を加算し、次回の再試行回数として、各再生手段毎に設定する第１の制御手段を備えたことを特徴とする映像再生装置。
【請求項２】
前記記憶手段に記憶した再試行回数に基づく情報をホスト側に送信するための第３の制御手段を備えたことを特徴とする請求項１に記載の映像再生装置。
【発明の詳細な説明】
【０００１】
【産業上の利用分野】
本発明は、カラオケシステムの背景映像として再生される動画再生ディスク（コンパクトディスク）などを再生する映像再生装置に関するものである。
【０００２】
【従来の技術】
従来、映像カラオケ装置において曲データとは別個に映像データを記憶させておき、曲の演奏時に、背景画として表示するカラオケシステムで、演奏曲のイメージに合いしかも異なった背景画を長時間に渡り再生可能な装置が提案されている。その一案として実現されているのが、装置内に複数の、動画再生ディスク（コンパクトディスク）を再生する手段を持ち、それぞれの動画再生ディスク再生装置（ＣＤ−ＲＯＭドライブ）に動画再生ディスク（コンパクトディスク）を装着し演奏曲のイメージに合った映像を複数の動画再生ディスク（コンパクトディスク）から選び再生する装置が提案されている。
【０００３】
この動画再生装置（ディスクプレーヤ）では、演奏曲の内容やイメージに合わせたジャンルの動画データが収められているディスクを用いる。同ジャンルで異なった動画データを持つディスクを用意して、それを動画再生装置（ディスクプレーヤ）内の複数の動画再生ディスク再生装置（ＣＤ−ＲＯＭドライブ）に装着して、利用者が曲を選択する度に複数のディスクから適当なジャンルの動画を順次選択再生する仕組みである。
【０００４】
この動画再生装置（ディスクプレーヤ）では長時間の動画再生を可能とするため、圧縮された動画データを動画再生ディスク（コンパクトディスク）に収めている。そして、その圧縮されたデータを読み取ったのちに所定の手順に従って伸長して背景画像として出力する。
【０００５】
一般的に動画再生ディスク（コンパクトディスク）に収められているデータを読み取る際には、読み取るレーザーの出力低下や動画再生ディスク（コンパクトディスク）を回転させるモーターの寿命等種々の条件により読み取りエラーが発生する。そのため、この動画再生装置（ディスクプレーヤ）では読み取りエラーが発生した場合には、読み取りの再試行を行なう。そして、予め複数の全動画再生ディスク再生装置（ＣＤ−ＲＯＭドライブ）に対して一律に決められた所定の回数再試行しても読み取りエラーが発生する場合には、その動画再生ディスク再生装置（ＣＤ−ＲＯＭドライブ）は不良と判断して、複数の動画再生ディスク再生装置（ＣＤ−ＲＯＭドライブ）のうちの他の動画再生ディスク再生装置（ＣＤ−ＲＯＭドライブ）を利用するようにして動画を再生するようにする。このようにしてカラオケシステムの利用者からはあたかも動画再生ディスク再生装置（ＣＤ−ＲＯＭドライブ）の不具合が無いように感じられるようになっている。
【０００６】
【発明が解決しようとする課題】
しかしながら、このような従来の動画再生装置（ディスクプレーヤ）の場合には、読み取り不良の発生し易い動画再生ディスク再生装置（ＣＤ−ＲＯＭドライブ）でも読み取りの再試行を予め決められた一律の回数行なうため、残り寿命の少ない動画再生ディスク再生装置（ＣＤ−ＲＯＭドライブ）の占める比率が高くなると一律の読み取り再試行回数では、不良と判断される動画再生ディスク再生装置（ＣＤ−ＲＯＭドライブ）の比率が高くなり、結果的に利用可能な動画再生ディスク再生装置（ＣＤ−ＲＯＭドライブ）の数が少なくなり、利用者が同じ背景映像を見せられることが多くなり、カラオケシステムとしての面白味に欠けることとなる。
【０００７】
また、一律の読み取り再試行回数では、いずれの動画再生ディスク再生装置（ＣＤ−ＲＯＭドライブ）もその読み取り再試行回数に達するまで不具合と判断されることはないため、残り寿命の少ない動画再生ディスク再生装置（ＣＤ−ＲＯＭドライブ）にあわせて読み取り再試行回数を多めに設定すると、その読み取り再試行回数に達した時はすでに寿命がつきる時期が近いと考えられ、急に故障する動画再生ディスク再生装置（ＣＤ−ＲＯＭドライブ）の数が増える可能性がある。
【０００８】
この場合上記と同様に利用可能な動画再生ディスク再生装置（ＣＤ−ＲＯＭドライブ）の数が少なくなり利用者が同じ背景映像を見せられることが多くなりカラオケシステムとしての面白味に欠けることとなる。
【０００９】
本発明は以上の課題を解決するためになされたものであり、読み取り不良と判断される再生手段の数を減らし、結果的に利用者が多種類の背景映像を見ることが出来る映像再生装置を提供することを目的とする。
【００１０】
【課題を解決するための手段】
かかる目的を達成するため映像再生装置は、映像再生スタート信号入力により、映像を選択再生可能に記憶したディスクを再生可能な複数の再生手段を備えた映像再生装置において、前記複数の再生手段がディスク内容の読み取り不具合いを発生した際に映像再生スタート信号入力から映像再生までの期間で読み取り再試行を行う回数を、それぞれ再試行回数として記憶手段に記憶し、記憶された前回の再試行回数に所定値を加算し、次回の再試行回数として、各再生手段毎に設定する第１の制御手段を備えたことを特徴とする。
【００１１】
【作用】
上記構成を有する映像再生装置においては、第１の制御手段は、映像再生スタート信号入力から映像再生までの期間のディスク読み取り再試行回数を、再試行回数として記憶手段に記憶し、記憶された前回の再試行回数に所定値を加算し、次回の再試行回数として、個々の再生手段毎に設定するために、ディスクからの読み取り能力の異なる複数の再生手段が塔載されている場合でも個々の読み取り能力に応じた読み取り再試行回数設定できる。
【００１２】
このことで、ディスク読み取り不良が発生する再生手段の無意味な増加を抑えることができる。
【００１３】
【実施例】
以下、本発明を具体化した一実施例を図面を参照して説明する。
【００１４】
図１は本発明の映像再生装置をカラオケシステムにおいて実施した構成を示すブロック図である。図１に示す通りカラオケシステムは、コマンダ１０、動画再生装置（ディスクプレーヤ）３０、アンプミキサ５０、スピーカ５２、マイク５４、モニタテレビ５６などを備えている。
【００１５】
このカラオケシステムにて利用者は、コマンダ１０を操作することで歌いたい曲を選択する。コマンダ１０には、曲データとして歌詞データおよび演奏データが格納されており、曲が選択されると、コマンダ１０はこれら歌詞データおよび演奏データを同期させて出力する。最終的に利用者はモニタテレビ５６に表示される歌詞を参照しながら、スピーカ５２から出力される演奏に合わせて歌を歌うことになる。
【００１６】
コマンダ１０から出力される演奏データは、アナログの演奏信号に変換された後、アンプミキサ５０へ送られて電気的に増幅されるとともに、マイク５４を介して入力する利用者の歌声と適度な割合でミキシングされる。ミキシングされた音声信号は、スピーカ５２により各種楽器による楽音演奏として外部へ出力される。
【００１７】
一方、演奏データと同期してコマンダ１０から読み出される歌詞データは、ディスクプレーヤ３０から送られるＮＴＳＣ映像信号と合成（スーパーインポーズ）されてモニタテレビ５６に表示される。動画再生装置（ディスクプレーヤ）３０から送られるＮＴＳＣ映像信号は、動画再生装置（ディスクプレーヤ）３０により動画再生ディスク（コンパクトディスク）を再生することで生成される。このＮＴＳＣ映像信号は、利用者が歌詞を参照しながら歌う際にモニタテレビ５６に表示される背景映像となるものであり、利用者が選択する曲の内容やイメージに合わせたジャンルの動画とする必要がある。
【００１８】
次に、コマンダ１０の内部構成についてさらに説明する。図２に示す通り、コマンダ１０は、コントローラ１２、操作パネル１４、シリアル入出力回路（ＳＩＯ）１６、モデム１８、ハードディスク２０、ＭＩＤＩ音源２２、ビデオミキサ２４などを備えている。
【００１９】
コントローラ１２は、コマンダ１０を制御するためのマイクロコンピュータであり、利用者により曲が選択された場合、その曲のジャンルを動画再生装置（ディスクプレーヤ）３０に送信したり、曲の演奏が進行するのに応じてハードディスク２０から曲データ（演奏データ及び歌詞データ）を読み出し、ＭＩＤＩ音源２２へ演奏データを、ビデオミキサ２４へ歌詞データを送ったり、図示しないホストコンピュータとの電話回線を介してのデータの送受信等の制御を行うものであり、本発明の第３の制御手段を構成する。
【００２０】
操作パネル１４は、利用者が歌いたい曲を選択したり、演奏音の音程を調整したり、演奏と歌との音量バランスを調整したり、その他、エコー、音量、トーンなど各種調整を行うための操作パネルである。また、操作パネル１４に対してはリモコン１４ａが備えられており、利用者は遠隔で選曲などの操作ができる。
【００２１】
シリアル入出力回路（ＳＩＯ）１６は、シリアル通信回線１７を介して、選択された曲のジャンルを動画再生装置（ディスクプレーヤ）３０に送信したりするためのインタフェース回路である。本実施例では、シリアル通信回線としてＲＳ２３２Ｃ方式を用いている。
【００２２】
モデム１８は、図示しないホストコンピュータから電話回線を介して送られてくる曲データを受信したり、どのような曲が演奏されているかといった情報や、動画再生装置（ディスクプレーヤ）３０の再試行回数およびその再試行回数に基づいた動画再生装置（ディスクプレーヤ）３０の故障や寿命情報を外部へ送信したりする際、通信路を通して伝送される信号の変調および復調を行う変復調装置である。本実施例のカラオケシステムでは、常に新しい曲が提供されている状態とするため、夜間に電話回線に新曲のデータが、図示しないホストコンピュータからモデム１８を介してコマンダ１０に送られてきて、ハードディスク２０内に格納されると共に、動画再生装置（ディスクプレーヤ）３０の再試行回数およびその再試行回数に基づいた動画再生装置（ディスクプレーヤ）３０の故障や寿命情報がホストコンピュータにモデム１８を介して送られる。
【００２３】
記憶手段としてのハードディスク２０は、曲データとして演奏データと歌詞データとを格納する記憶装置である。演奏データは、ＭＩＤＩ（ミュージカル・インストゥルメント・ディジタル・インタフェース）規格に基づいたデータが格納されていると共に、動画再生装置（ディスクプレーヤ）３０の再試行回数を、１６台の動画再生ディスク再生装置（ＣＤ−ＲＯＭドライブ）３４ａ，３４ｂ・・・３４ｐ毎に格納しており、記憶手段としては、ハードディスク２０以外に、読み書き自在な光記録装置（ＣＤ−ＲＡＭ）等の大容量の読み書き自在な不揮発性メモリを用いることができる。
【００２４】
ＭＩＤＩ音源２２は、各種楽器の演奏音を格納しており、ハードディスク２０から送られる演奏データに基づき、楽器の演奏信号を生成する音源である。生成された楽器の演奏信号は、アンプミキサ５０に送られる。
【００２５】
ビデオミキサ２４は、ハードディスク２０から送られる歌詞データと、ディスクプレーヤ３０から送られるＮＴＳＣ映像信号とを合成する装置である。歌詞データは楽器の演奏が出力されるのに同期して、歌詞を反転させ利用者に該当する歌唱部分を知らせる。
【００２６】
次に、図２に基づき動画再生装置（ディスクプレーヤ）３０について説明する。
【００２７】
動画再生装置（ディスクプレーヤ）３０はコマンダ１０から送られる曲のジャンル情報に基づき、該当するジャンルの動画をＮＴＳＣ映像信号としてコマンダ１０へ送るディスクプレーヤである。動画再生装置（ディスクプレーヤ）３０では動画再生ディスク（コンパクトディスク）（図示せず）を再生することにより映像信号が生成される。
【００２８】
本実施例で用いる動画再生ディスク（コンパクトディスク）は以下に示す特徴を有している。
【００２９】
動画再生ディスク（コンパクトディスク）は、１２ｃｍのＣＤ（コンパクトディスク）サイズのビデオディスクであり、動画データがＭＰＥＧの方式で圧縮されて記憶されており、本発明のディスクを構成する。圧縮されていることで、ＣＤサイズのディスク一枚に約１時間の動画データが記憶されている。
【００３０】
また、本実施例の動画再生ディスク（コンパクトディスク）は、演歌およびポップスの２種類のジャンルの動画を記憶しているが、動画を２種類以上のジャンルに分けて記憶させても良い。
【００３１】
該動画再生装置（ディスクプレーヤ）３０では動画再生ディスク再生装置（ＣＤ−ＲＯＭドライブ）を８台づつ２組、合計１６台備え、各動画再生ディスク再生装置（ＣＤ−ＲＯＭドライブ）は、それぞれの動画再生ディスク再生装置（ＣＤ−ＲＯＭドライブ）毎に異なった動画を記録した前記動画再生ディスク（コンパクトディスク）を搭載している。
【００３２】
次に、このような動画再生ディスク（コンパクトディスク）を再生する動画再生装置（ディスクプレーヤ）３０の内部構成について図２を用いて説明する。図２に示す通り、動画再生装置（ディスクプレーヤ）３０は、シリアル入出力回路（ＳＩＯ）３２、８台づつ２組、合計１６台の動画再生ディスク再生装置（ＣＤ−ＲＯＭドライブ）３４ａ，３４ｂ、３４ｃ、３４ｄ、３４e、３４ｆ、３４ｇ、３４ｈ・・・３４ｐ、切換回路３６、マイコン３８、データ読み取り回路４０、圧縮データ復号化回路４２、ＮＴＳＣコンバータ４４などを備えている。
【００３３】
シリアル入出力回路（ＳＩＯ）３２は、選択された曲のジャンル情報をコマンダ１０から受信したり、また、１６台の動画再生ディスク再生装置（ＣＤ−ＲＯＭドライブ）毎の再試行回数をコマンダ１０に送信するためのインタフェース回路である。
【００３４】
動画再生ディスク再生装置（ＣＤ−ＲＯＭドライブ）としての図２  ＣＤ−ＲＯＭドライブ１〜１６は、搭載されている動画再生ディスク（コンパクトディスク）を再生するプレーヤである。８台づつ２組、合計１６台の動画再生ディスク再生装置（ＣＤ−ＲＯＭドライブ）の中からどの動画再生ディスク（コンパクトディスク）を選択再生する処理はマイコン３８により実行される。
【００３５】
切換回路３６は、８台づつ２組の動画再生ディスク再生装置（ＣＤ−ＲＯＭドライブ）のうち、いずれかの組の動画再生ディスク再生装置（ＣＤ−ＲＯＭドライブ）から出力される映像信号をデータ読み取り回路４０へ送るように切り換える回路である。例えば、３４ａから３４ｈの動画再生ディスク再生装置（ＣＤ−ＲＯＭドライブ）から３４ａを選択し３４ｉから３４ｐの中から３４ｉを選択して一定時間間隔（例えば３０秒）で切り換えることとし、動画再生ディスク再生装置（ＣＤ−ＲＯＭドライブ）３４ａ，３４ｉでは、該当ジャンルの動画をランダムに、あるいは順番に再生することができる。
【００３６】
マイコン３８は、動画再生装置（ディスクプレーヤ）３０全体の作動を制御するマイクロコンピュータであり、本発明の第１及び第２の制御手段を構成する。また、マイコン３８には、図５に示すように、１６台の動画再生ディスク再生装置（ＣＤ−ＲＯＭドライブ）毎に、前回の再試行回数、設定した再試行回数、再試行回数、動画再生ディスク再生装置（ＣＤ−ＲＯＭドライブ）の動作状態等を記憶する記憶部３８ａを備えており、この記憶部３８ａは、マイコン３８とは別体の読み書き自在の半導体メモリ（ＲＡＭ）で構成されていてもよい。マイコン３８により実行される処理については、図３ないし図５に基づき後述する。
【００３７】
データ読取回路４０は、サブマイコン４１を備えており、切換回路３６から送られる電気信号をディジタルデータとして読み取るための装置である。データ読取回路４０により読み取られたディジタルデータは、圧縮データ復号化回路４２へ送られる。
【００３８】
圧縮データ復号化回路４２は、データ読取回路４０から送られる圧縮されたディジタルデータを映像信号に復号化する電気回路である。圧縮データ復号化回路４２により復号化された映像信号はＮＴＳＣコンバータ４４に送られる。
【００３９】
ＮＴＳＣコンバータ４４は、圧縮データ復号化回路４２により復号化された映像信号を商用カラーテレビジョン信号（ＮＴＳＣ映像信号）に変換する電気回路である。ＮＴＳＣコンバータ４４により変換されたＮＴＳＣ映像信号はコマンダ１０のビデオミキサ２４に送られる。
【００４０】
本実施例にて、各動画再生ディスク再生装置（ＣＤ−ＲＯＭドライブ）が本発明の再生手段としての機能を果たしている。
【００４１】
次に、このように構成されたカラオケシステムの動作を図３および図４のフローチャートに基づいて説明する。
【００４２】
利用者が本実施例のカラオケシステムに電源を入れると、まず動画再生装置（ディスクプレーヤ）３０のマイコン３８は、図３に示すフローチャートを実行する。
【００４３】
まず、電源が投入されると、Ｓ１１において、コマンダ１０のハードディスク２０内に格納された前回までの各動画再生ディスク再生装置（ＣＤ−ＲＯＭドライブ）の再試行回数の読み出しをシリアル入出力回路（ＳＩＯ）３２を通してコマンダ１０に要求すると共に、コマンダ１０からシリアル入出力回路（ＳＩＯ）３２を通して受け取り、それによりコマンダ１０のハードディスク２０内に格納された動画再生装置（ディスクプレーヤ）３０の再試行回数のデータ（ハードディスク２０には、未使用時には初期値として「０」が格納されている）に基づいて、今回カラオケシステムが最初に使用されるのかどうかが判断される。
【００４４】
初回でなければ、Ｓ１２において、シリアル入出力回路（ＳＩＯ）３２を通して受け取った前回までの各動画再生ディスク再生装置（ＣＤ−ＲＯＭドライブ）の再試行回数を、マイコン３８内の記憶手段３８ａの、前回の再試行回数記憶エリアに記憶する。そして、その前回までの再試行回数に基づいて各動画再生ディスク再生装置（ＣＤ−ＲＯＭドライブ）の読み取り再試行回数を設定し、記憶手段３８ａの、設定した再試行回数記憶エリアに記憶する。これは、前回までの再試行回数に所定値を加算、即ち本実施例では、数値「１」を加算して設定する。
【００４５】
またこの時、記憶手段３８ａの、再試行回数記憶エリアに、初期値として数値「１」が格納され、図５に示す状態となる。
【００４６】
更に、ハードディスク２０から読み出された前回の再試行回数が所定値以上、即ち本実施例では前回の再試行回数が１５回以上の動画再生ディスク再生装置（ＣＤ−ＲＯＭドライブ）に対して、記憶手段３８ａの、状態エリアに「ＮＧ」を記憶させてその動画再生ディスク再生装置（ＣＤ−ＲＯＭドライブ）からのデータの読み出しを禁止すると共に、その旨をコマンダ１０側に送る。
【００４７】
始めて動画再生装置（ディスクプレーヤ）３０が使用されるときは、Ｓ１３において、初期値として全動画再生ディスク再生装置（ＣＤ−ＲＯＭドライブ）に対して一律に読み取り再試行回数を設定し、記憶手段３８ａの、設定した再試行回数記憶エリアに記憶する。更に、全動画再生ディスク再生装置（ＣＤ−ＲＯＭドライブ）に対して、記憶手段３８ａの、再試行回数記憶エリア及びハードディスク２０内の、前回の再試行回数記憶エリアに、数値「１」をそれぞれ初期値として格納する。
【００４８】
次にマイコン３８は、全動画再生ディスク再生装置（ＣＤ−ＲＯＭドライブ）に搭載されている動画再生ディスク（コンパクトディスク）のヘッダ部分から、動画再生ディスク（コンパクトディスク）に記憶されている動画のジャンルを読み取りマイコン３８内に設けられた記憶手段３８ａに記憶する（Ｓ１４）。尚、本実施例では、ヘッダ部分から読み出されるジャンル情報は、データ量が非常に少ないので、読み取りエラーが発生することは少ないが、万一読み取りエラーが発生したときは、エラーが発生した動画再生ディスク（コンパクトディスク）に対して再読み出しが行われ、所定回数、例えば１５回の再試行においても正しく読めなかった場合には、その動画再生ディスク再生装置（ＣＤ−ＲＯＭドライブ）に対して、記憶手段３８ａの、状態エリアに「ＮＧ」を記憶させてその動画再生ディスク再生装置（ＣＤ−ＲＯＭドライブ）からのデータの読み出しを禁止すると共に、その旨をコマンダ１０側に送る。ここまでの処理で、カラオケシステムの電源が入れられてから利用者が曲の選択をできるまでの前段階の処理を終了する。
【００４９】
この段階で利用者は、操作パネル１４を直接操作するか、あるいはリモコン１４ａを操作することで歌いたい曲を選択再生することができる。
【００５０】
利用者により曲の再生が操作されると、コマンダ１０は、そのシリアル入出力回路１６を介して再生スタート信号を選択された曲のジャンル（演歌またはポップス）とともに、動画再生装置（ディスクプレーヤ）３０のシリアル入出力回路３２に対して送くる。
【００５１】
動画再生装置（ディスクプレーヤ）３０は、シリアル入出力回路３２を介して再生スタート信号を入力すると（Ｓ２１）、まず動画再生ディスク再生装置（ＣＤ−ＲＯＭドライブ）３４ａ、３４ｉにセットされた動画再生ディスク（コンパクトディスク）をヘッダ部分を読み取り、コマンダ１０から送られて来る演奏曲のジャンルの情報に基づいてマイコン３８内の記憶手段３８ａに記憶されている動画再生ディスク内の動画のジャンル情報を参照して目的とするジャンルの動画データを動画再生ディスク（コンパクトディスク）から読み出す（Ｓ２２）。そして、データが正しく読み出されておれば（Ｓ２３：ＹＥＳ）、Ｓ２４において、読み取られたディジタルデータがデータ読取回路４０から圧縮データ復号化回路４２へ送られて動画が再生される。その後、ＮＴＳＣコンバータ４４を介してコマンダ１０側に送られ、背景画としてモニタテレビ５６上に表示される。
【００５２】
次に、Ｓ２５において、マイコン３８は、記憶手段３８ａの、再試行回数記憶エリアから再試行回数を読み出すと共に、シリアル入出力回路３２を通してコマンダ１０に送り、ハードディスク２０内の、前回の再試行回数記憶エリアに格納する。初回では、前回の再試行回数は初期直「１」として全ＣＤ−ＲＯＭドライブに対して「１」が格納され、このデータは、次回にカラオケシステムの電源が投入された時に読み山される。また、初回以降、Ｓ２３においてデータが正しく読み出されていればＳ２４に移行し、再試行は行われないため、再試行の回数は０であり、Ｓ２５においてコマンダに再試行回数０が送られる。  前回再試行が行われていなければ、記憶手段３８ａの再試行回数記憶エリアには初期値としての数値「１」が格納され続け、このデータは、次回にカラオケシステムの電源が投入された時に読み出される。
【００５３】
動画の再生は、演奏終了信号がシリアル入出力回路３２を通してコマンダ１０から送られてくるまで実行され、演奏終了信号がコマンダ１０から送られてくると、Ｓ２６の判断が「ＹＥＳ」となってＳ２１に戻り、新たな再スタート信号を待つ。
【００５４】
８台づつ２組計１６台の動画再生ディスク再生装置（ＣＤ−ＲＯＭドライブ）３４ａから３４ｐをどのように用いて再生するかについては、どのような方式を用いてもよいが、例えば、２つのＣＤ−ＲＯＭドライブ３４ａ、３４ｉを一定時間間隔（例えば３０秒）で切り換えて、ＣＤ−ＲＯＭドライブ３４ａ、３４ｉでは、該当ジャンルの動画をランダムに、あるいは順番に再生することが出来る。そして、動画再生ディスク再生装置（ＣＤ−ＲＯＭドライブ）３４ａに搭載されているディスクを再生し終わったら次は３４ｂと３４ｉの動画再生ディスク再生装置（ＣＤ−ＲＯＭドライブ）の組合せで再生することが出来る。このようにして１６台の動画再生ディスク再生装置（ＣＤ−ＲＯＭドライブ）を用いて長時間に渡りバラエティーに富んだ背景映像の再生を行うことが出来る。
【００５５】
動画再生装置（ディスクプレーヤ）３０は、動画再生ディスク（コンパクトディスク）から動画データを読みとる際においてデータの読み取りに失敗した際には、Ｓ２３の判断が「ＹＥＳ」となり、つぎに、Ｓ２７において、前回と同じ動画再生ディスク（コンパクトディスク）から動画データを再び読み出す。
【００５６】
次に、Ｓ２８において、記憶手段３８ａの、再試行回数記憶エリアに格納された再試行回数を１回分カウントアップする。  例えば、初回では記憶手段３８ａの再試行回数記憶エリアに格納された再試行回数は初期値「１」であり、Ｓ２８において、再試行回数１回がブラスされるから、再試行回数が２回となる。
【００５７】
次に、Ｓ２９において、動画データが正しく読み取れたかどうかが判断され、動画データが正しく読み取れた場合には、Ｓ２４に移行して動画の再生が行われる。また、動画データが正しく読み取れなかった場合には、Ｓ３０において、再試行回数が、記憶手段３８ａの再試行回数記憶エリアに格納された前回の再試行回数と同じもしくはそれ以下かどうかが判断され、もし、同じもしくはそれ以下であれば、Ｓ２７に戻って前回と同じ動画再生ディスク（コンパクトディスク）から動画データが再び読み出される。
【００５８】
また、それ以上であれば、Ｓ３１において、その動画再生ディスク再生装置（ＣＤ−ＲＯＭドライブ）に対して、記憶手段３８ａの、状態エリアに「ＮＧ」を記憶させてその動画再生ディスク再生装置（ＣＤ−ＲＯＭドライブ）からのデータの読み出しを禁止すると共に、その旨をコマンダ１０側に送る。
【００５９】
次に、Ｓ３２において、次の新しい動画再生ディスク再生装置（ＣＤ−ＲＯＭドライブ）が選択され、ジャンル情報を参照して目的とするジャンルの動画データが動画再生ディスク（コンパクトディスク）から読み出された後、Ｓ２３に戻る。
【００６０】
このようにして本実施例では、予め各動画再生ディスク再生装置（ＣＤ−ＲＯＭドライブ）ごとに設定された、読み取り再試行回数だけ読み取り再試行を行い、設定された読み取り再試行回数だけ読み取り再試行をおこなってもデータを読み取れない場合は、マイコン３８は、その動画再生ディスク再生装置（ＣＤ−ＲＯＭドライブ）は不良と判断して、別の動画再生ディスク再生装置（ＣＤ−ＲＯＭドライブ）からデータの読み取りを行う。
【００６１】
コマンダ１０では、動画再生装置（ディスクプレーヤ）３０からＮＴＳＣ映像信号が送られると、ＮＴＳＣ映像信号を歌詞と合成して表示するとともに、演奏と利用者の歌声とをミキシングして出力する。そして、コマンダ１０側で演奏が終了すると、ディスクプレーヤ３０に対して演奏終了の信号を送る。
【００６２】
動画再生装置（ディスクプレーヤ）３０は、コマンダ１０から演奏終了の信号を受け取ると、動画再生ディスクの再生を終了する。再生の終了タイミングとしては他にも、例えば、再生スタート信号を送る際に、選択された曲の長さ（時間）を送っておき、曲が終了する時間になったら動画再生装置（ディスクプレーヤ）３０側で自動的に動画再生ディスク（コンパクトディスク）の再生を終了するようにしてもよい。再生終了のタイミングとしても必ずしも演奏の終了と合わせる必要はなく、例えば再生中のチャプタが終了するまでＮＴＳＣ映像信号を送り続ける構成としてもよい。
【００６３】
又、コマンダ１０のコントローラ１２は、ハードディスク２０内の、前回の再試行回数記憶エリアに格納された再試行回数に基づいて、再試行回数と動画再生ディスク再生装置（ＣＤ−ＲＯＭドライブ）の残り寿命との関係を表したテーブルを参照して、各動画再生ディスク再生装置（ＣＤ−ＲＯＭドライブ）の残り寿命を算出し、ホストコンピュータに電話回線を通して伝達する。 そして、すべてのカラオケシステムの管理者は、この残り寿命が少なくなってきた場合は該カラオケシステムが設置されている場所に赴き、読み取りエラーが動画再生ディスク再生装置（ＣＤ−ＲＯＭドライブ）のレーザ光源の汚れが原因なら清掃を行い、寿命が来ているなら交換等の作業を行う。
【００６４】
以上説明した通り、本実施例のカラオケシステムでは、動画再生装置（ディスクプレーヤ）が内蔵しているすべての動画再生ディスク再生装置（ＣＤ−ＲＯＭドライブ）の動画再生ディスク（コンパクトディスク）のデータ読み取り再試行回数がそのデータ読み取り能力及び残り寿命に応じて適正な回数に常に設定されていると同時に、設定された読み取り再試行回数でデータを読み取る事ができないときは、その動画再生ディスク再生装置（ＣＤ−ＲＯＭドライブ）を不良と判定して電話回線を通してホストコンピュータに不良と判定された動画再生ディスク再生装置（ＣＤ−ＲＯＭドライブ）と、その時の読み取り再試行回数を伝達する。そして、次に本カラオケシステムに電源が入れられた際はその情報を基に新たに読み取り再試行回数を設定し直す。また、各地に設置されたカラオケシステムの保守管理担当者は、ホストコンピュータに連絡された情報を基にカラオケシステムの保守管理業務を適切に行なうことができる。
【００６５】
すなわち本動画再生装置（ディスクプレーヤ）では動画再生ディスク（コンパクトディスク）のデータの読み取りエラーに起因する実質的な使用可能動画再生ディスク再生装置（ＣＤ−ＲＯＭドライブ）数の減少が最低限に抑えられるため、カラオケシステム利用者は多種類の背景映像を観ることが可能となり、カラオケシステムとしての面白味も増すことになる。
【００６６】
また、実施例のように１６台の動画再生ディスク再生装置（ＣＤ−ＲＯＭドライブ）の内所定の２台を一定時間で切り換える構成とすれば、たとえ同じ映像を観せられたとしてもパターンの違いにより、利用者が同じ映像であることを認識しにくくなり更に多種類の背景映像を見ている感じることが可能となる。
【００６７】
なお、本発明は以上に示した実施例に制限を受けるものでなく、以下のような様々な態様で実現しうるものである。
【００６８】
例えば、実施例の動画再生装置（ディスクプレーヤ）ではある動画再生ディスク再生装置（ＣＤ−ＲＯＭドライブ）が不良と判断された場合保守管理担当者が動画再生ディスク再生装置（ＣＤ−ＲＯＭドライブ）のレーザー清掃を行なったり交換に赴くが、そのまえに、動画再生ディスク再生装置（ＣＤ−ＲＯＭドライブ）自体にレーザー清掃機能を持たせて動画再生ディスク再生装置（ＣＤ−ＲＯＭドライブ）が不良と判断されたら動画再生ディスク再生装置（ＣＤ−ＲＯＭドライブ）自身でレーザー清掃を行なってもよい。
【００６９】
【発明の効果】
以上説明した通り本発明の映像再生装置によれば、搭載されている再生手段のディスク読み取り能力及び寿命が異なっても動画再生ディスク（コンパクトディスク）のデータの読み取りエラーに起因する実質的な使用可能な再生手段の数の減少が最低限に抑えられ、結果的に利用者に多種類の背景映像を提供することが出来る。
【図面の簡単な説明】
【図１】本発明の映像再生装置を実施したカラオケシステムの構成を示すブロック図である。
【図２】カラオケシステムの動画再生装置（ディスクプレーヤ）の構成を示すブロック図である。
【図３】動画再生装置（ディスクプレーヤ）が実行する処理を示すフローチャートである。
【図４】動画再生装置（ディスクプレーヤ）が実行する処理を示すフローチャートである。
【図５】記憶手段の構成を示す図である。
【符号の説明】
１０・・・コマンダ、１２・・・コントローラ、１３・・・実績メモリ、１４・・・操作パネル、１６・・・シリアル入出力回路、１８・・・モデム、２０・・・ハードディスク、２２・・・ＭＩＤＩ音源、２４・・・ビデオミキサ、３０・・・動画再生装置（ディスクプレーヤ）、３２・・・シリアル入出力回路、３４ａ〜３４ｐ・・・動画再生ディスク再生装置（ＣＤ−ＲＯＭドライブ）３６・・・切換回路、３８・・・マイコン、４０・・・データ読取回路、４２・・・圧縮データ復号化回路、４４・・・ＮＴＳＣコンバータ、５０・・・アンプミキサ、５２・・・スピーカ、５４・・・マイク、５６・・・モニタテレビ
【図１】
0003765588.tif 000002
【図２】
0003765588.tif 000003
【図３】
0003765588.tif 000004
【図４】
0003765588.tif 000005
【図５】
0003765588.tif 000006